(57)【要約】      （修正有）【課題】事故を未然に防ぐ事が出来る、自動ドア用オートアナウンス装置を提供する。【解決手段】自動ドアＡに通行者が接近すると関知センサー２が検知し、通常パルス信号が音声コントローラー１０に送られ、内蔵されたタイマーが作動すると同時に、自動ドア制御装置３に信号が送られ、開指令信号が駆動装置４へ出力され駆動装置４は、扉１を開方向に作動させる。扉が完全に開いている状態の時、感知センサー２が検知範囲から通行者の存在を検知しなくなると、任意の設定時間経過後音声コントローラー１０は、所定のアナウンスをスピーカ１５へ出力し、次に自動ドア制御装置３から開時間タイマー終了後、駆動装置４へ閉指令信号が出力され、扉１を閉じ方向に作動させる。【選択図】    図１
0003106828.tif 000002
【実用新案登録請求の範囲】
【請求項１】
感知センサー（２）で通行者の存否を検知し、開閉する自動ドア（Ａ）であって、感知センサー（２）から出力される通常パルス信号のＯＮ、ＯＦＦで、所定のアナウンスをスピーカー（１５）から出力させる音声コントローラー（１０）と、扉（１）の開閉動作の制御をする自動ドア制御装置（３）と、該自動ドア制御装置（３）からの開閉指令信号で、扉（１）を開閉させる動力を発生させる駆動装置（４）とを設けたことを特徴とする自動ドア用オートアナウンス装置
【請求項２】
上記音声コントローラー（１０）は、感知センサー（２）が検知範囲から通行者の存在を検知しなくなると、任意の設定時間経過後にアナウンス発生指令を出すタイマーリレー（１９）と、アナウンスを合成する為の音声合成基板（２０）と、アナウンスの終了時を決める為のドア位置検出リードスイッチ（１１）とから成ることを特徴とする請求項１記載の自動ドア用オートアナウンス装置
【請求項３】
上記タイマーリレー（１９）は、任意の設定時間内に、再び感知センサー（２）が通行者の存在を検知すると、自動的にリセットされ延長されることを特徴とする請求項１、２記載の自動ドア用オートアナウンス装置
【請求項４】
感知センサー（２）が通行者の存在を検知すると、該感知センサー（２）から通常パルス信号が音声コントローラー（１０）に送られ、音声コントローラー（１０）に内蔵されたタイマーが作動すると同時に、自動ドア制御装置（３）に信号が送られ、自動ドア制御装置（３）から開指令信号が駆動装置（４）へ出力され駆動装置（４）は、扉（１）を開方向に作動させることを特徴とする請求項１〜３記載の自動ドア用オートアナウンス装置
【請求項５】
扉（１）が完全に開いている状態の時、感知センサー（２）が検知範囲から通行者の存在を検知しなくなると、任意の設定時間経過後音声コントローラー（１０）は、アナウンスをスピーカ（１５）へ出力し、次に自動ドア制御装置（３）が開時間タイマー終了後に、閉指令信号を駆動装置（４）へ出力し、駆動装置（４）は、扉（１）を閉じ方向に作動させることを特徴とする請求項１〜４記載の自動ドア用オートアナウンス装置
【請求項６】
上記扉（１）が閉じ方向に作動している時に、再び感知センサー（２）が通行者の存在を検知すると、音声コントローラー（１０）は、アナウンスを中断し、再び、内蔵されたタイマーがリセットされると同時に、自動ドア制御装置（３）に信号が送られ、自動ドア制御装置（３）から開指令信号が駆動装置（４）へ出力され駆動装置（４）は、扉（１）を開方向に作動させることを特徴とする請求項１〜５記載の自動ドア用オートアナウンス装置
【請求項７】
上記音声コントローラー（１０）は、通常自動ドアエンジン装置（Ｂ）内に内蔵でき、又、該音声コントローラー（１０）から送られた音声信号を出力する、スピーカ（１５）も感知センサー（２）と一体に設けることで、コンパクトに構成されたことを特徴とする請求項１〜６記載の自動ドア用オートアナウンス装置
【考案の詳細な説明】
【技術分野】
【０００１】  本考案は、自動ドアの開閉に同期して、通行者に注意を喚起するオートアナウンス装置に関する。
【背景技術】
【０００２】  従来、自動ドアは、検知範囲内に通行者が侵入すると、感知センサーが通行者の存在を検出し、該感知センサーから開閉動作の制御をする自動ドア制御装置へ通常パルス信号が出力され、信号を受けて自動ドア制御装置は、扉を開閉させる動力を発生する駆動装置に開指令信号を出力し、この信号を受けて駆動装置は、モータを開き方向へ駆動する。このモータの回転は、ベルトに伝えられ扉を開き方向へ動かす。
次に、扉が完全に開いている状態の時、感知センサーが検知範囲から通行者の存在を検知しなくなると、自動ドア制御装置は、開時間タイマー終了後扉を開閉させる動力を発生する駆動装置に閉指令信号を出力し、この信号を受けて駆動装置は、モータを閉じ方向へ駆動する。このモータの回転は、ベルトに伝えられ扉を閉じ方向へ動かすものである。【０００３】  自動ドアの制御装置に開閉信号を送るセンサーには、人の接近を自動的に感知するもの（自動検出型）と、タッチスイッチのように人が操作して信号を出すもの（人為操作型）があり、自動検出型は２種類に分かれ、検出範囲内の動いているものだけを感知する動体検知型と、検出範囲内の静止しているものを感知する静止体検出型がある。【０００４】又、従来オートアナウンス装置は、主にエレベーター（特開平８−４０６７７）等に使用されている、これはエレベーター扉の開閉動作自体に連動して、所定のアナウンスを発生させるものであった。
【考案の開示】
【考案が解決しようとする課題】
【０００５】  近年、上記の様な自動ドアは、店舗、ビル、銀行、公共施設、病院などに設置され、現在全国で約１６０万台が使用されている、しかしながら、国民生活センター危害情報システムには、自動ドアに挟まれたり、自動ドアのガラスが割れて怪我をしたなど深刻な事故情報が寄せられている。【０００６】  事故の種類としては、自動ドアの扉に挟まれるものが最も多く、その原因としては、閉じかけたドアを無理に通過しようとしたり、人がドアとドアの間に立ち止ったり、又、高齢者、幼児、障害者等は、動作が比較的ゆっくりであるため、自動ドアを通り抜ける前にドアが閉まる等がある。【０００７】  又、現在多く使用されている自動ドアは誤開閉を防ぐ為に、主に近赤外線を投光し、人または物体から反射される赤外線受光量の変化を検知する、動体検知型の感知センサーを用い、検知範囲が狭く設定された物が多い、その為、移動している物体が自動ドアの近くまで接近しないと反応しないため、静止していたり、急に接近したものに対しては、反応が鈍く、事故を起す危険性が高い物で有った。
本考案は、上記した問題点を解決するためになされたものであり、一般の自動ドアに簡単に取付け可能なオートアナウンス装置を提供することを目的とする。
【課題を解決するための手段】
【０００８】  自動ドア（Ａ）に接近する通行者を検知する感知センサー（２）と、該感知センサー（２）から出力される通常パルス信号のＯＮ、ＯＦＦで、通行者に注意を喚起させる為の所定のアナウンスを、スピーカ（１５）から出力させる音声コントローラー（１０）と、扉（１）の開閉動作の制御をする自動ドア制御装置（３）と、自動ドア制御装置（３）からの開閉指令信号で、扉（１）を開閉させる動力を発生させる駆動装置（４）とを設けたものである。【０００９】  上記の音声コントローラー（１０）は、感知センサー（２）が検知範囲から通行者の存在を検知しなくなると、任意の設定時間経過後にアナウンス発生指令を出すタイマーリレー（１９）と、アナウンスを合成する為の音声合成基板（２０）と、アナウンスの終了時を決める為のドア位置検出リードスイッチ（１１）とから成り、最少の部品で構成されているものである。【００１０】  又、上記タイマーリレー（１９）は、任意の設定時間内に再び感知センサー（２）が通行者の存在を検知すると、自動的にリセットされ延長されるものである。【００１１】  感知センサー（２）が通行者の存在を検知すると、該感知センサー（２）から通常パルス信号が音声コントローラー（１０）に送られ、音声コントローラー（１０）に内蔵されたタイマーが作動すると同時に、自動ドア制御装置（３）に信号が送られ、自動ドア制御装置（３）から開指令信号が駆動装置（４）へ出力され駆動装置（４）は、扉（１）を開方向に作動させるものである。【００１２】  扉（１）が完全に開いている状態の時、感知センサー（２）が検知範囲から通行者の存在を検知しなくなると、任意の設定時間経過後音声コントローラー（１０）は、アナウンスをスピーカ（１５）へ出力し、次に自動ドア制御装置（３）が開時間タイマー終了後に、閉指令信号を駆動装置（４）へ出力し、駆動装置（４）は、扉（１）を閉じ方向に作動させるものである。【００１３】  上記の扉（１）が閉じ方向に作動している時に、再び感知センサー（２）が通行者の存在を検知すると、音声コントローラー（１０）は、アナウンスを中断し、再び、内蔵されたタイマーがリセットされると同時に、自動ドア制御装置（３）に信号が送られ、自動ドア制御装置（３）から開指令信号が駆動装置（４）へ出力され駆動装置（４）は、扉（１）を開方向に作動させるものである。【００１４】  上記音声コントローラー（１０）は、通常自動ドアエンジン装置（Ｂ）内に内蔵でき、又、該音声コントローラー（１０）から送られた音声信号を出力する、スピーカ（１５）も感知センサー（２）と一体に設けることで、コンパクトに構成されたものである。
【考案の効果】
【００１５】  本考案は、上記の様な構成をなすもので、一般の自動ドアに簡単に取付け可能な自動ドアの開閉に同期して、通行者に注意を喚起するオートアナウンス装置であり次の様な効果を有する。【００１６】  自動ドアの閉作動時に所定のアナウンスが出力され、通行者に注意を喚起させるので、通行者が負傷する事故を未然に防止できるものである。【００１７】  音声コントローラー等の装置がコンパクトであるため、すでに使用されている自動ドアの自動ドアエンジン装置内に内蔵できるものである。【００１８】  感知センサーと小型スピーカを一体化してあるため、コンパクトでデザイン的にも良いものである。
【考案の実施するための最良の形態】
【００１９】  本考装置には、先ず検知範囲内に投光部より近赤外線を投光し、人または物体から反射される赤外線受光量の変化を検知して自動ドアエンジン装置（Ｂ）への起動信号を出力する感知センサー（２）又は、検知範囲内に投光部より近赤外線を常時投光し、その反射レベルを分析して物体の存否を検知し、自動ドアエンジン装置（Ｂ）へ起動信号を出力する感知センサー（２）を設ける。
【００２０】  次に、前記感知センサー（２）から発信される通常パルス信号によって、作動を開始するタイマーリレー（１９）と、アナウンスを合成する為の音声合成基板（２０）から構成された音声コントローラー（１０）と、該音声コントローラー（１０）から出力されたアナウンスを発する感知センサー（２）と一体的に設けられたスピーカ（１５）と、アナウンスの終了時を決める為のドア位置検出リードスイッチ（１１）を設ける。
【００２１】  上記タイマーリレー（１９）は、任意の設定時間内に再び感知センサー（２）が通行者の存在を検知すると、自動的にリセットされ延長されるものである。
【００２２】  本考案の自動ドア用オートアナウンス装置は、上記の様な構成で自動ドアエンジン装置（Ｂ）内に内蔵して使用するものである。
【実施例】
【００２３】  先ず、自動ドア（Ａ）に通行者が接近すると感知センサー（２）が検知し、該感知センサー（２）から通常パルス信号が音声コントローラー（１０）に送られ、音声コントローラー（１０）に内蔵されたタイマーが作動すると同時に、自動ドア制御装置（３）に信号が送られ、自動ドア制御装置（３）から開指令信号が駆動装置（４）へ出力され駆動装置（４）は、扉（１）を開方向に作動させる。【００２４】  次に、扉（１）が完全に開いている状態の時、感知センサー（２）が検知範囲から通行者の存在を検知しなくなると、任意の設定時間経過後音声コントローラー（１０）は、アナウンスを感知センサー（２）内のスピーカ（１５）へ出力し、次に自動ドア制御装置（３）が開時間タイマー終了後、自動ドア制御装置（３）から閉指令信号が駆動装置（４）へ出力され駆動装置（４）は、扉（１）を閉じ方向に作動させる。
但し、設定時間内に再び感知センサー（２）が通行者の存在を検知すると、自動的にタイマーがリセットされ延長される。【００２５】  更に、上記の扉（１）が閉じ方向に作動している時に、再び感知センサー（２）が通行者の存在を検知すると、音声コントローラー（１０）は、アナウンスを中断し、再び、内蔵されたタイマーがリセットされると同時に、自動ドア制御装置（３）に信号が送られ、自動ドア制御装置（３）から開指令信号が駆動装置（４）へ出力され駆動装置（４）は、扉（１）を開方向に作動させるものである
【産業上の利用可能性】
【００２６】  本考案のオートアナウンス装置は、上記の実施例以外にも、何等かの機械が作動する時など使用者に注意を喚起したり、危険な場所などに人が入るのを注意したり、又、アナウンスの内容を変えることで、商店などのお客の来店時の挨拶など、様々な用途に使用可能なものである。
【図面の簡単な説明】
【００２７】
【図１】    本考案の状態を示す部分切欠け図
【図２】    本考案の状態を示すＡ〜Ａ断面図
【図３】    本考案の状態を示す正面図
【図４】    本考案の状態を示すＢ〜Ｂ断面図
【図５】    本考案の状態を示す底面図
【図６】    本考案の状態を示す斜視図
【図７】    本考案の状態を示すＣ〜Ｃ断面図
【図８】    本考案の状態を示すブロック図
【図９】    本考案の状態を示すタイミングチャート
【符号の説明】
【００２８】  Ａ    自動ドア
Ｂ    自動ドアエンジン装置
１    扉
２    感知センサー
３    自動ドア制御装置
４    駆動装置
５    駆動プーリ
６    ベルト
７    従動プーリ
８    吊戸車
９    レール
１０    音声コントローラー
１１    ドア位置検出リード
１２    振れ止め
１３    ガイドレール
１４    センサー
１５    スピーカ
【図１】
0003106828.tif 000003
【図２】
0003106828.tif 000004
【図３】
0003106828.tif 000005
【図４】
0003106828.tif 000006
【図５】
0003106828.tif 000007
【図６】
0003106828.tif 000008
【図７】
0003106828.tif 000009
【図８】
0003106828.tif 000010
【図９】
0003106828.tif 000011